(57)【特許請求の範囲】
【請求項１】
ロータの位置を検出する位置検出手段として前記ロータの磁極を検出して逆極性で一対のホール電圧を出力するホールセンサが配設されているブラシレスＤＣモータを駆動するモータ駆動装置であって、
前記ホールセンサに対して駆動電圧を間欠出力して間欠駆動するホールセンサ用電源と、
入力された前記ホール電圧のゼロクロスタイミングを予測する電気角予測手段とを具備し、
前記ホールセンサ用電源は、前記電気角予測手段による予測結果に基づいて、前記ホール電圧のゼロクロス前からゼロクロスが検出されるまでのゼロクロス直前期間は、前記ホールセンサに対して一定の駆動電圧を出力するＤＣ駆動に切り換え、
前記電気角予測手段は、間隔をおいてゼロクロス検出タイミング間の計測を行い、ゼロクロス検出タイミング間の計測時には、前記ホールセンサ用電源に前記間欠駆動から前記ＤＣ駆動への切り換えを指示することを特徴とするモータ駆動装置。
【請求項２】
前記電気角予測手段は、入力された前記ホール電圧のゼロクロスが検出されたゼロクロス検出タイミング間を計測し、当該計測結果に基づいて、前記ホール電圧のゼロクロス前のタイミングで前記ホールセンサ用電源に前記間欠駆動から前記ＤＣ駆動への切り換えを指示することを特徴とする請求項１記載のモータ駆動装置。
【請求項３】
前記電気角予測手段は、前記ホール電圧のゼロクロスが検出されると、前記ホールセンサ用電源に前記ＤＣ駆動から前記間欠駆動への切り換えを指示することを特徴とする請求項１又は２記載のモータ駆動装置。
【請求項４】
ロータの位置を検出する位置検出手段として前記ロータの磁極を検出して逆極性で一対のホール電圧を出力するホールセンサが配設されているブラシレスＤＣモータを駆動するモータ駆動装置であって、
前記ホールセンサに対して駆動電圧を間欠出力して間欠駆動するホールセンサ用電源と、
入力された前記ホール電圧のゼロクロスタイミングを予測する電気角予測手段とを具備し、
前記ホールセンサ用電源は、前記電気角予測手段による予測結果に基づいて、前記ホール電圧のゼロクロス前からゼロクロスが検出されるまでのゼロクロス直前期間は、前記ゼロクロス直前期間以外の期間に比べて、駆動電圧を間欠出力するデューティー比を大きくさせ、
前記電気角予測手段は、入力された前記ホール電圧のゼロクロスが検出されたゼロクロス検出タイミングと、回転数を指示する外部からの制御信号とに基づいて、前記ホール電圧のゼロクロス前のタイミングを予測することを特徴とするモータ駆動装置。
【請求項５】
前記ホールセンサ用電源は、前記ゼロクロス直前期間において、前記デューティー比を１００パーセントとし、前記ホールセンサに対して一定の駆動電圧を出力するＤＣ駆動に切り換えることを特徴とする請求項４記載のモータ駆動装置。
【請求項６】
前記ホールセンサ用電源は、前記ゼロクロス直前期間以外の期間において、前記デューティー比を０パーセントとし、前記ホールセンサに対する駆動電圧の出力を停止させることを特徴とする請求項４又は５記載のモータ駆動装置。
【請求項７】
前記ホールセンサ用電源は、前記ゼロクロス直前期間以外の期間において、前記ゼロクロス直前期間に比べて、駆動電圧を低くさせることを特徴とする請求項４乃至６のいずれかに記載のモータ駆動装置。
【発明の詳細な説明】
【技術分野】
【０００１】
本発明は、ブラシレスＤＣモータを駆動するモータ駆動装置に関する。
【背景技術】
【０００２】
近年、エアコンや空気清浄機等のファンモータとして用いられているブラシレスＤＣモータは、駆動方式のインバータ化による低消費電力化のみならず、ブラシレスＤＣモータを駆動するモータ駆動装置の低消費電力化が求められている。通常動作時において、モータ駆動装置の制御電源の消費電流のうち約７０％程度がホール素子の駆動に用いられている。そこで、ホール素子用の電源をホール電圧のゼロクロス周期より十分短い周期で間欠駆動して消費電流を低減する技術が提案されている（例えば、特許文献１参照）。
【先行技術文献】
【特許文献】
【０００３】
【特許文献１】特開昭６３−３９４８６号公報
【発明の概要】
【発明が解決しようとする課題】
【０００４】
しかしながら、従来技術のように、ホール素子用の電源を間欠駆動した場合には、モータ効率が悪化してしまうという問題点があった。図５は、ホール素子用の電源をＤＣ駆動した場合のモータ効率と、ホール素子用の電源を間欠駆動した場合のモータ効率とを比較したグラフであり、縦軸はモータ駆動電流［mA］を、横軸は回転数［rpm］を示している。図５によると、ホール素子用の電源を間欠駆動した場合には、ホール素子用の電源をＤＣ駆動した場合に比べて、モータ駆動電流が大きくなり、モータ効率が悪化していることが分かる。このモータ効率の悪化は、回転数が大きいほど顕著になる。
【０００５】
本発明の目的は、上記の課題に鑑み、ホール素子を間欠駆動しても、モータ効率の悪化を防止することができるモータ駆動装置を提供することにある。
【課題を解決するための手段】
【０００６】
本発明に係るモータ駆動装置は、上記の目的を達成するため、次のように構成される。
本発明のモータ駆動装置は、ロータの位置を検出する位置検出手段として前記ロータの磁極を検出して逆極性で一対のホール電圧を出力するホールセンサが配設されているブラシレスＤＣモータを駆動するモータ駆動装置であって、前記ホールセンサに対して駆動電圧を間欠出力して間欠駆動するホールセンサ用電源と、入力された前記ホール電圧のゼロクロスタイミングを予測する電気角予測手段とを具備し、前記ホールセンサ用電源は、前記電気角予測手段による予測結果に基づいて、前記ホール電圧のゼロクロス前からゼロクロスが検出されるまでのゼロクロス直前期間は、前記ホールセンサに対して一定の駆動電圧を出力するＤＣ駆動に切り換え、前記電気角予測手段は、間隔をおいてゼロクロス検出タイミング間の計測を行い、ゼロクロス検出タイミング間の計測時には、前記ホールセンサ用電源に前記間欠駆動から前記ＤＣ駆動への切り換えを指示することを特徴とする。
また、本発明に係るモータ駆動装置は、ロータの位置を検出する位置検出手段として前記ロータの磁極を検出して逆極性で一対のホール電圧を出力するホールセンサが配設されているブラシレスＤＣモータを駆動するモータ駆動装置であって、前記ホールセンサに対して駆動電圧を間欠出力して間欠駆動するホールセンサ用電源と、入力された前記ホール電圧のゼロクロスタイミングを予測する電気角予測手段とを具備し、前記ホールセンサ用電源は、前記電気角予測手段による予測結果に基づいて、前記ホール電圧のゼロクロス前からゼロクロスが検出されるまでのゼロクロス直前期間は、前記ゼロクロス直前期間以外の期間に比べて、駆動電圧を間欠出力するデューティー比を大きくさせ、前記電気角予測手段は、入力された前記ホール電圧のゼロクロスが検出されたゼロクロス検出タイミングと、回転数を指示する外部からの制御信号とに基づいて、前記ホール電圧のゼロクロス前のタイミングを予測することを特徴とする。
【発明の効果】
【０００７】
本発明によれば、ホール素子を間欠駆動しても、ホール電圧のゼロクロスを遅滞なく検出することができるため、モータ効率の悪化を防止することができるという効果を奏する。
【図面の簡単な説明】
【０００８】
【図１】本発明に係るモータ駆動装置の第１の実施の形態の構成を示すブロック図である。
【図２】間欠駆動時におけるホール信号の遅れを説明するための波形図である。
【図３】図１に示す電気角予測部から出力される駆動切り換え信号例を示す波形図である。
【図４】図３に示す駆動切り換え信号による間欠駆動とＤＣ駆動との切り換えを説明するための波形図である。
【図５】ホール素子の間欠駆動によるモータ効率の悪化を示す図である。
【図６】本発明に係るモータ駆動装置の第２の実施の形態の構成を示すブロック図である。
【図７】図３に示す駆動切り換え信号によるデューティー比の切り換え例を説明するための波形図である。
【図８】図３に示す駆動切り換え信号によるデューティー比の切り換え例を説明するための波形図である。
【図９】図３に示す駆動切り換え信号による駆動電圧の切り換え例を説明するための波形図である。
【発明を実施するための形態】
【０００９】
次に、本発明の実施の形態を、図面を参照して具体的に説明する。なお、各図において、同一の構成には、同一の符号を付して一部説明を省略している。
【００１０】
（第１の実施の形態）
第１の実施の形態のモータ駆動装置１は、図１を参照すると、ドライブ回路１１と、回転制御部１２と、内部レギュレータ１３と、発振器（ＯＳＣ）１４と、ホールアンプＡｍｐＵ、ＡｍｐＶ、ＡｍｐＷと、回転信号取り込み部１５と、電気角予測部１６とを備えている。
【００１１】
ドライブ回路１１は、主電源ＶＢＢから電力供給を得て、３相ブラシレスＤＣモータＭの駆動巻線ＬＵ、ＬＶ、ＬＷにそれぞれ印加する印加電圧ＵＯＵＴ、ＶＯＵＴ、ＷＯＵＴを生成して出力する。ドライブ回路１１は、例えば、トーテムポール型に接続された６個のＮチャネル型ＭＯＳ−ＦＥＴ又はＩＧＢＴで構成されている。
【００１２】
回転制御部１２は、入力されるホール信号ＨＵ、ＨＶ、ＨＷに基づいてロータの回転位置を把握し、外部の制御部から入力される制御信号Ｖｓｐに基づいてドライブ回路１１を駆動する駆動信号（例えば、ドライブ回路１１の６個のＮチャネル型ＭＯＳ−ＦＥＴをそれぞれ駆動する６個のＰＷＭ（Pulse Width Modulation）信号）を生成する。
【００１３】
内部レギュレータ１３は、制御電源Ｖｃｃから電力供給を得て、モータ駆動装置１の各部に電力を供給する。また、内部レギュレータ１３は、３相ブラシレスＤＣモータＭに例えば電気角１２０°毎に取り付けられているホール素子２Ｕ、２Ｖ、２Ｗを駆動する駆動電圧ＶＲｅｇ（例えば、５Ｖ）を生成して出力するホールセンサ用電源として機能する。ホール素子２Ｕ、２Ｖ、２Ｗは、３相ブラシレスＤＣモータＭのロータの位置を検出する位置検出手段であり、ロータの磁極を検出して逆極性で一対のホール電圧を出力するホールセンサである。そして、ホール素子２Ｕ、２Ｖ、２Ｗから出力されるホール電圧は、３相ブラシレスＤＣモータＭの回転に伴って、抵抗Ｒ１と抵抗Ｒ２との分圧を中心にして電気角１８０°毎にゼロクロスする。
【００１４】
内部レギュレータ１３は、発振器（ＯＳＣ）１４から出力されるパルス信号に基づいてホール電圧のゼロクロス周期より十分短い周期で駆動電圧ＶＲｅｇを間欠出力する間欠駆動と、一定の駆動電圧ＶＲｅｇを出力するＤＣ駆動とを切り換え可能に構成されている。なお、駆動電圧ＶＲｅｇの出力端子と接地端子との間に、抵抗Ｒ１と、並列接続されたホール素子２Ｕ、２Ｖ、２Ｗと、抵抗Ｒ２とが接続されている。
【００１５】
ホール素子２Ｕから出力されるホール電圧ＨＵＰ、ＨＵＮはホールアンプＡｍｐＵに、ホール素子２Ｖから出力されるホール電圧ＨＶＰ、ＨＶＮはホールアンプＡｍｐＶに、ホール素子２Ｗから出力されるホール電圧ＨＷＰ、ＨＷＮはホールアンプＡｍｐＷにそれぞれ入力される。
【００１６】
ホールアンプＡｍｐＵは、入力された２つのホール電圧ＨＵＰ、ＨＵＮを比較し、ホール電圧ＨＵＰがホール電圧ＨＵＮよりも高くなると、出力となるホール信号ＨＵをＬｏｗレベルからＨｉｇｈレベルに切り換え、ホール電圧ＨＵＰがホール電圧ＨＵＮ以下になると、出力となるホール信号ＨＵをＨｉｇｈレベルからＬｏｗレベルに切り換える。ホールアンプＡｍｐＶ、ＡｍｐＷもホールアンプＡｍｐＵと同様に動作し、ホール信号ＨＶ、ホール信号ＨＷをそれぞれ出力する。
【００１７】
回転信号取り込み部１５は、入力されるホール信号ＨＵ、ＨＶ、ＨＷに基づいて、例えば電気角６０°毎にＨｉｇｈレベルとＬｏｗレベルとが切り換わる回転信号ＦＧを生成し、生成した回転信号ＦＧを外部の制御部に出力する。
【００１８】
図２において、（ａ）はＤＣ駆動時の駆動電圧ＶＲｅｇ、（ｂ）はＤＣ駆動時のホール電圧ＨＵＰ、ＨＵＮ、（ｃ）は間欠駆動時の駆動電圧ＶＲｅｇ、（ｄ）は間欠駆動時のホール電圧ＨＵＰ、ＨＵＮ、（ｅ）は間欠駆動時のホール信号ＨＵがそれぞれ示されている。なお、図２では、駆動電圧ＶＲｅｇの間欠駆動時の周波数を説明のため実際よりも小さく表している。実際の駆動電圧ＶＲｅｇの間欠駆動時の周期は、例えば５０μｓ（周波数は２０ｋＨｚ）であり、ホール電圧ＨＵＰ、ＨＵＮのゼロクロス周期に比べて十分短くなる。ホール電圧ＨＵＰ、ＨＵＮのゼロクロス周期は、３相ブラシレスＤＣモータＭの極数が８極で回転数が１０００ｒｐｍである場合、７．５ｍｓとなる。
【００１９】
図２（ａ）に示すように、一定の駆動電圧ＶＲｅｇをホール素子２Ｕに印加するＤＣ駆動時には、図２（ｂ）に示すように、連続してホール電圧ＨＵＰ、ＨＵＮが出力されるため、時刻ｔ０、ｔ１、ｔ３においてホール電圧ＨＵＰ、ＨＵＮのゼロクロスを正確に検出することができる。以下、ホール電圧のゼロクロスが検出されるタイミングをゼロクロス検出タイミングと称す。これに対し、図２（ｃ）に示すように、ホール素子２Ｕに印加する駆動電圧ＶＲｅｇを間欠駆動させた場合には、図２（ｄ）に示すように、ホール電圧ＨＵＰ、ＨＵＮは、ホール素子２Ｕに駆動電圧ＶＲｅｇが印加される期間のみ出力される。従って、時刻ｔ１において、ホール素子２Ｕに駆動電圧ＶＲｅｇが印加されていない場合には、ゼロクロス検出タイミングが次に駆動電圧ＶＲｅｇが印加される時刻ｔ２になってしまう。この遅れがモータ効率の悪化を招いてしまう。
【００２０】
そこで本実施の形態では、電気角予測部１６によって、ホール素子２Ｕ、２Ｖ、２Ｗのそれぞれから出力されるホール電圧のゼロクロスタイミングをそれぞれ予測し、予測されるホール電圧のゼロクロスタイミングでは、内部レギュレータ１３によるホール素子２Ｕ、２Ｖ、２Ｗの駆動を間欠駆動からＤＣ駆動に切り換える。
【００２１】
電気角予測部１６は、３相ブラシレスＤＣモータＭが一定の回転数で回っているものと仮定して、ホール信号ＨＵ、ＨＶ、ＨＷに基づいて、ホール素子２Ｕ、２Ｖ、２Ｗのそれぞれから出力されるホール電圧のゼロクロスタイミングをそれぞれ予測する。そして、電気角予測部１６は、ホール電圧がゼロクロスする前のタイミングで、駆動切り換え信号ＶｄをＨｉｇｈレベルにすることで、間欠駆動からＤＣ駆動への切り換えを内部レギュレータ１３に指示し、ホール電圧のゼロクロスを検出すると、駆動切り換え信号ＶｄをＬｏｗレベルにすることでＤＣ駆動から間欠駆動への切り換えを内部レギュレータ１３に指示する。
【００２２】
図３には、電気角予測部１６に入力されるホール信号ＨＵ、ＨＶ、ＨＷが示されている。ホール信号ＨＵ、ＨＶ、ＨＷにおいて、ＨｉｇｈレベルとＬｏｗレベルとが切り換わるタイミングは、ホール電圧のゼロクロスを検出したゼロクロス検出タイミングであり、電気角６０°毎にホール信号ＨＵ、ＨＶ、ＨＷのいずれかでＨｉｇｈレベルとＬｏｗレベルとが切り換わる。電気角予測部１６は、まず、ゼロクロス検出タイミング間（例えば時刻ｔａ〜ｔｂや時刻ｔａ〜ｔｄ等）を内蔵クロックによって計測することで、ホール電圧のゼロクロス周期Ｔ１、すなわち３相ブラシレスＤＣモータＭが電気角６０°分回転する時間Ｔ１を算出する。
【００２３】
電気角予測部１６は、算出したゼロクロス周期Ｔ１に基づき、ゼロクロス検出タイミングからゼロクロス周期Ｔ１が経過する前のタイミングで駆動切り換え信号ＶｄをＨｉｇｈレベルに切り換えて、間欠駆動からＤＣ駆動への切り換えを内部レギュレータ１３に指示する。例えば、電気角予測部１６は、図３に示すように、ゼロクロス周期Ｔ１よりも電気角で１０°前の駆動切り換え時間Ｔ２（Ｔ２＝Ｔ１＊５０／６０）を算出し、ゼロクロス検出タイミングから駆動切り換え時間Ｔ２後に、駆動切り換え信号ＶｄをＨｉｇｈレベルに切り換える。例えば、３相ブラシレスＤＣモータＭの極数が８極で回転数が１０００ｒｐｍである場合、ゼロクロス検出タイミングから約６．２５ｍｓ（７．５ｍｓ＊５０／６０）後に、駆動切り換え信号ＶｄをＨｉｇｈレベルに切り換える。これにより、ホール素子２Ｕ、２Ｖ、２Ｗの駆動は、図４に示すように、間欠駆動からＤＣ駆動に切り換えられ、ホール電圧のゼロクロスが遅れることなく検出される。
【００２４】
本実施の形態では、間欠駆動からＤＣ駆動に切り換えるタイミングを予測されるゼロクロスタイミングの電気角で１０°前に設定した。この電気角の値は、ホール素子２Ｕ、２Ｖ、２Ｗの取り付け誤差や制御信号Ｖｓｐに基づく回転数の変更に伴うゼロクロス検出タイミングのズレを考慮して適宜設定することができる。すなわち、ホール素子２Ｕ、２Ｖ、２Ｗの取り付け誤差や制御信号Ｖｓｐに基づく回転数の変更に伴ってゼロクロスタイミングがズレても、ゼロクロスタイミングではＤＣ駆動されているように、予測されるゼロクロスタイミングよりも前に間欠駆動からＤＣ駆動に切り換えるように構成すると良い。
【００２５】
電気角予測部１６は、ホール電圧のゼロクロスを検出、すなわちホール信号ＨＵ、ＨＶ、ＨＷのいずれかでＨｉｇｈレベルとＬｏｗレベルとが切り換わると、図４に示すように、駆動切り換え信号ＶｄをＬｏｗレベルにすることでＤＣ駆動から間欠駆動への切り換えを内部レギュレータ１３に指示する。これにより、消費電流が低減される。
【００２６】
なお、電気角予測部１６によるゼロクロス検出タイミング間の計測及びゼロクロス周期Ｔ１の算出は、常時行うようにしても良く、所定時間毎や制御信号Ｖｓｐに基づく回転数の変更時等の間隔をおいて行うようにしても良い。また、間隔をおいてゼロクロス検出タイミング間の計測及びゼロクロス周期Ｔ１の算出を行う場合、ゼロクロス検出タイミング間の計測時には、電気角予測部１６は、駆動切り換え信号ＶｄをＨｉｇｈレベルに切り換え、ホール素子２Ｕ、２Ｖ、２ＷをＤＣ駆動させると好適である。この場合には、ゼロクロス検出タイミングの遅れを考慮しなくても良いため、ゼロクロス検出タイミング間の計測とゼロクロス周期Ｔ１の算出とを短時間で正確に行うことができる。
【００２７】
以上説明したように、本実施の形態は、ロータの位置を検出する位置検出手段としてロータの磁極を検出して逆極性で一対のホール電圧を出力するホール素子２Ｕ、２Ｖ、２Ｗが配設されている３相ブラシレスＤＣモータＭを駆動するモータ駆動装置１であって、ホール素子２Ｕ、２Ｖ、２Ｗに対して駆動電圧ＶＲｅｇを間欠出力して間欠駆動するホールセンサ用電源として機能する内部レギュレータ１３と、入力されたホール電圧のゼロクロスタイミングを予測する電気角予測部１６とを具備し、内部レギュレータ１３は、電気角予測部１６による予測結果に基づいて、ホール電圧のゼロクロス前からゼロクロスが検出されるまでのゼロクロス直前期間は、ホール素子２Ｕ、２Ｖ、２Ｗに対して一定の駆動電圧ＶＲｅｇを出力するＤＣ駆動に切り換える。
この構成により、内部レギュレータ１３によってホール素子２Ｕ、２Ｖ、２Ｗを間欠駆動しても、ホール電圧のゼロクロス時にはホール素子２Ｕ、２Ｖ、２ＷをＤＣ駆動させ、ホール電圧のゼロクロスを遅滞なく検出することができるため、モータ効率の悪化を防止することができる。
【００２８】
さらに、本実施の形態において、電気角予測部１６は、入力されたホール電圧のゼロクロスが検出されたゼロクロス検出タイミング間を計測し、当該計測結果に基づいて、ホール電圧のゼロクロス前のタイミングで内部レギュレータ１３に間欠駆動からＤＣ駆動への切り換えを指示し、ホール電圧のゼロクロスが検出されると、内部レギュレータ１３にＤＣ駆動から間欠駆動への切り換えを指示する。
この構成により、ゼロクロス検出タイミング間の計測によって精度良くゼロクロスタイミングを予測することができる。
【００２９】
さらに、本実施の形態において、電気角予測部１６は、間隔をおいてゼロクロス検出タイミング間の計測を行い、ゼロクロス検出タイミング間の計測時には、内部レギュレータ１３に間欠駆動からＤＣ駆動への切り換えを指示する。
この構成により、ゼロクロス検出タイミングの遅れを考慮しなくても良いため、ゼロクロス検出タイミング間の計測とゼロクロス周期Ｔ１の算出とを短時間で正確に行うことができる。
【００３０】
（第２の実施の形態）
第２の実施の形態のモータ駆動装置１ａは、図６を参照すると、内部レギュレータ１３ａと、電気角予測部１６ａと、ＰＷＭ制御部１７とが、第１の実施の形態のモータ駆動装置１と異なっている。
【００３１】
モータ駆動装置１ａは、発振器（ＯＳＣ）１４から一定間隔で出力されるパルスを周期とするＰＷＭ（Pulse Width Modulation）信号を生成するＰＷＭ制御部１７を備えている。なお、発振器（ＯＳＣ）１４から出力されるパルスの周期は、ホール電圧のゼロクロス周期より十分短い周期に設定されている。
【００３２】
内部レギュレータ１３ａは、ＰＷＭ制御部１７によって生成されるＰＷＭ信号に基づき、ＰＷＭ信号がＨｉｇｈレベル時に駆動電圧ＶＲｅｇを出力し、ＰＷＭ信号がＬｏｗレベル時に駆動電圧ＶＲｅｇの出力を停止する。これにより、ホール素子２Ｕ、２Ｖ、２Ｗは、ＰＷＭ制御部１７によって生成されるＰＷＭ信号に基づいてホール電圧のゼロクロス周期より十分短い周期で間欠駆動される。
【００３３】
ＰＷＭ制御部１７は、電気角予測部１６ａから出力される駆動切り換え信号Ｖｄに応じて、生成するＰＷＭ信号のデューティー比を変更させる。ＰＷＭ制御部１７は、図７に示すように、駆動切り換え信号ＶｄがＨｉｇｈレベルである場合、駆動切り換え信号ＶｄがＬｏｗレベルである場合に比べて、ＰＷＭ信号のデューティー比を大きくする。これにより、ホール電圧のゼロクロス前からゼロクロスが検出されるまでのゼロクロス直前期間では、駆動電圧ＶＲｅｇの出力を停止する期間が短くなる。従って、ゼロクロス検出の遅れが軽減されることになる。また、３相ブラシレスＤＣモータＭの回転数が変動する場合でも、ホール素子２Ｕ、２Ｖ、２Ｗはゼロクロス周期より十分短い周期で間欠駆動されるので、ゼロクロス検出の遅れが軽減されることになる。図８には、駆動切り換え信号ＶｄがＨｉｇｈレベルである場合、ＰＷＭ信号のデューティー比を１００％とした例が示されている。この場合、ゼロクロス直前期間において、ホール素子２Ｕ、２Ｖ、２Ｗは、一定の駆動電圧ＶＲｅｇで駆動されるＤＣ駆動となる。また、図８には、駆動切り換え信号ＶｄがＬｏｗレベルである場合、ＰＷＭ信号のデューティー比を０％とした例が示されている。この場合、ゼロクロス直前期間以外の期間において、ホール素子２Ｕ、２Ｖ、２Ｗは、駆動電圧ＶＲｅｇが印加されない停止状態となり、消費電力をさらに低減することができる。
【００３４】
電気角予測部１６ａには、回転数を指示する外部からの制御信号Ｖｓｐが入力されている。回転制御部１２は、制御信号Ｖｓｐによる指示に基づき駆動信号のデューティーを変調し、ドライブ回路１１を駆動する。ドライブ回路１１は、駆動信号に基づき３相ブラシレスＤＣモータＭの回転数を制御する。電気角予測部１６ａは、入力されたホール電圧のゼロクロスが検出されたゼロクロス検出タイミングと、制御信号Ｖｓｐとに基づいて、ホール電圧のゼロクロス前のタイミングを予測する。すなわち、制御信号Ｖｓｐによって３相ブラシレスＤＣモータＭの回転数が分かり、ゼロクロス検出タイミングから次のゼロクロス前のタイミングを予測することが可能である。そして、電気角予測部１６ａは、ホール電圧がゼロクロスする前のタイミングで、駆動切り換え信号ＶｄをＨｉｇｈレベルに切り換え、ホール電圧のゼロクロスを検出すると、駆動切り換え信号ＶｄをＬｏｗレベルに切り換える。なお、電気角予測部１６ａにおいて、ゼロクロス検出タイミング間を計測し、当該計測結果に基づいて、ホール電圧のゼロクロス前のタイミングを予測するようにしても良い。
【００３５】
さらに、電気角予測部１６ａにおいて、制御信号Ｖｓｐやホール信号ＨＵ、ＨＶ、ＨＷによって把握される３相ブラシレスＤＣモータＭの回転数と、予め設定された回転数閾値とを比較し、３相ブラシレスＤＣモータＭの回転数が回転数閾値以上の場合にのみ、ホール電圧がゼロクロスする前のタイミングを予測するように構成しても良い。この場合には、モータ効率の悪化が顕著になる回転数が大きい領域で、モータ効率の悪化を抑制することができる。
【００３６】
さらに、内部レギュレータ１３ａに電気角予測部１６ａからの駆動切り換え信号Ｖｄを入力し、図９に示すように、ゼロクロス直前期間以外の期間（駆動切り換え信号ＶｄがＬｏｗレベルの期間）は、ゼロクロス直前期間（駆動切り換え信号ＶｄがＨｉｇｈレベルの期間）に比べて、駆動電圧を低くさせるようにしても良い。すなわち、駆動電圧を低くした場合には、ホール信号ＨＵ、ＨＶ、ＨＷの出力レベルが低くなるため、ノイズ等の影響で誤検出の虞が高くなるが、ゼロクロス直前期間以外の期間では、多少の誤検出は許容される。従って、ゼロクロス直前期間以外の期間は、駆動電圧を低くすることで、消費電力をさらに低減することができる。
【００３７】
以上説明したように、本実施の形態は、ロータの位置を検出する位置検出手段としてロータの磁極を検出して逆極性で一対のホール電圧を出力するホール素子２Ｕ、２Ｖ、２Ｗが配設されている３相ブラシレスＤＣモータＭを駆動するモータ駆動装置１ａであって、ホール素子２Ｕ、２Ｖ、２Ｗに対して駆動電圧ＶＲｅｇを間欠出力して間欠駆動するホールセンサ用電源として機能する内部レギュレータ１３ａと、入力されたホール電圧のゼロクロスタイミングを予測する電気角予測部１６ａとを具備し、内部レギュレータ１３ａは、電気角予測部１６ａによる予測結果に基づいて、ホール電圧のゼロクロス前からゼロクロスが検出されるまでのゼロクロス直前期間は、ゼロクロス直前期間以外の期間に比べて、駆動電圧ＶＲｅｇを間欠出力するデューティー比を大きくさせる。
この構成により、内部レギュレータ１３によってホール素子２Ｕ、２Ｖ、２Ｗを間欠駆動しても、ホール電圧のゼロクロスの検出遅れを抑制して、ホール電圧のゼロクロスを遅滞なく検出することができるため、モータ効率の悪化を防止することができる。
【００３８】
さらに、本実施の形態において、内部レギュレータ１３ａは、ゼロクロス直前期間において、デューティー比を１００パーセントとし、ホール素子２Ｕ、２Ｖ、２Ｗに対して一定の駆動電圧ＶＲｅｇを出力するＤＣ駆動に切り換える。
この構成により、内部レギュレータ１３によってホール素子２Ｕ、２Ｖ、２Ｗを間欠駆動しても、ホール電圧のゼロクロスを遅滞なく検出することができるため、モータ効率の悪化を防止することができる。
【００３９】
さらに、本実施の形態において、内部レギュレータ１３ａは、ゼロクロス直前期間以外の期間において、デューティー比を０パーセントとし、ホール素子２Ｕ、２Ｖ、２Ｗに対する駆動電圧ＶＲｅｇの出力を停止させる。
この構成により、消費電力をさらに低減することができる。
【００４０】
さらに、本実施の形態において、内部レギュレータ１３ａ、ゼロクロス直前期間以外の期間において、ゼロクロス直前期間に比べて、駆動電圧ＶＲｅｇを低くさせる。
この構成により、消費電力をさらに低減することができる。
【００４１】
さらに、本実施の形態において、電気角予測部１６ａは、入力されたホール電圧のゼロクロスが検出されたゼロクロス検出タイミング間を計測し、当該計測結果に基づいて、ホール電圧のゼロクロス前のタイミングを予測する。
この構成により、ゼロクロス検出タイミング間の計測によって精度良くゼロクロスタイミングを予測することができる。
【００４２】
さらに、本実施の形態において、電気角予測部１６ａは、入力されたホール電圧のゼロクロスが検出されたゼロクロス検出タイミングと、回転数を指示する外部からの制御信号Ｖｓｐとに基づいて、ホール電圧のゼロクロス前のタイミングを予測する。
この構成により、制御信号Ｖｓｐによって簡単にゼロクロスタイミングを予測することができる。
【００４３】
以上の実施の形態で説明された構成、形状、大きさおよび配置関係については本発明が理解・実施できる程度に概略的に示したものにすぎず、また数値および各構成の組成（材質）等については例示にすぎない。従って本発明は、説明された実施の形態に限定されるものではなく、特許請求の範囲に示される技術的思想の範囲を逸脱しない限り様々な形態に変更することができる。
例えば、ホールセンサとしてホール素子２Ｕ、２Ｖ、２ＷをホールＩＣに置き換えても良く、複数のホールセンサは直列接続されても良い。
また、ホールセンサ用電源は、定電流源及び定電圧源のいずれでも良く、ホールセンサ用電源の構成に合わせて抵抗Ｒ１、Ｒ２を設けなくても良い。
また、ゼロクロス検出タイミング間を計測するために、内蔵クロックに限らず外部クロック或いはコンデンサの充放電等を利用しても良い。
【符号の説明】
【００４４】
１、１ａ  モータ駆動装置
２Ｕ、２Ｖ、２Ｗ  ホール素子
１１  ドライブ回路
１２  回転制御部
１３、１３ａ  内部レギュレータ
１４  発振器（ＯＳＣ）
１５  回転信号取り込み部
１６、１６ａ  電気角予測部
１７  ＰＷＭ制御部
ＡｍｐＵ、ＡｍｐＶ、ＡｍｐＷ  ホールアンプ
ＶＢＢ  主電源
Ｖｃｃ  制御電源
Ｍ  ３相ブラシレスＤＣモータ
ＬＵ、ＬＶ、ＬＷ  駆動巻線
【図１】
0006623621.tif 000002
【図２】
0006623621.tif 000003
【図３】
0006623621.tif 000004
【図４】
0006623621.tif 000005
【図５】
0006623621.tif 000006
【図６】
0006623621.tif 000007
【図７】
0006623621.tif 000008
【図８】
0006623621.tif 000009
【図９】
0006623621.tif 000010